(57)【要約】      （修正有）【課題】釣り曳き感度が増加し、根掛りを容易に外すことができる笠かぶりオモリの提供。【解決手段】笠かぶりオモリに、任意の長さの遊び糸を設け、釣竿への伝達感度を良くする。また、複数の中通しタイプのオモリを使用し、オモリに調整糸を通し、遊動性を持たせ、両端にビーズと係止具を設けて、数珠つなぎのジャバラ状にし、探り釣りの際は空洞体の笠状オモリに、それぞれの先端が挿入し、一体化し、滑らかな棒状体にもなり、水の抵抗が無く、岩、海山等に根掛りした時は糸を弛めることにより、下方部のオモリの自重の作用で外すことができ、投げ釣りの時は小判型、円盤型等を本体の一方係止具に取り付けオモリを浮上体の効果により根掛りせずに回収出来る。【選択図】図４
0003106626.tif 000002
【実用新案登録請求の範囲】
【請求項１】
釣り用オモリとして、鉄、鉛、真鍮、瀬戸物、ガラス等で海水に水圧をかけ、海底を叩き砂、小石、貝殻等を攪乱し、魚を集魚せしめる構造のオモリで、空洞体で、表面積を有する笠状オモリに一ヶ所ないし複数の穴を本体上部に設けることにより、海中で気泡を発生させ、魚が気泡を追いかける習性を活用し、笠状オモリの下に、撒き餌する為の多数の穴を備えた、サラ状の物を設け、爪状、板状、線状、ピン等で笠状オモリに一時的に固定し、水圧で撒き餌の脱落拡散を防止する為の受け皿として使用するものであり、及び笠状オモリの下部に２個の円盤、楕円盤、扇型のオモリを蝶の羽根のように、羽ばたかせる為、それらの羽ばたくオモリの双方の、先端に板状、線状、コイル状のスプリング等で加工し、それぞれを任意の長さを有する遊び糸で、弛みを作り、両端にビーズと係止具を備え、釣り天秤に固定すると共に、道糸は天秤に固定しないで、道糸に遊動性を持たせる様工作し、さらに従来のオモリの係止具部に遊び糸を通しての使用も出来る、釣り曳き感度を高める様にした特徴を有する笠かぶりオモリ。
【請求項２】
複数の中通しタイプで空洞体の笠状オモリを使用し、任意の長さを有する調整糸を通し笠状オモリに遊動性を持たせ、両端にビーズと係止具を設けて、数珠つなぎのジャバラ状にし、探り釣りの際は空洞体の笠状のオモリに、それぞれの先端が挿入し、一体化し、滑らかな棒状態にもなり、水の抵抗が少なく、根掛りした時は糸を緩めることにより、オモリが分割された状態になった上、個々のオモリが遊動性の為、下方部のオモリの自重作用により、根掛りを外すことができる為、磯の複雑な地形の場所や根掛りの多い所でできるものであり、船釣りでの使用もできると共に、投げ釣りの際には一方の係止具にプラスチックの浮上体の円盤、楕円盤等を取り付けて使用する物であり、さらに従来のオモリの係止具に遊び糸を通しての使用も出来る物であり、笠状オモリの数珠つなぎオモリに浮上体を取り付けた特徴を有する根掛り防止用の笠かぶりオモリ。
【考案の詳細な説明】
【技術分野】
【０００１】本考案は、釣りに於ける笠かぶりオモリに関する。
【背景技術】
【０００２】従来のしゃくり釣り用オモリがあるが、水圧をかけることは出来るが、海底に接地する部分が少なく砂、小石、貝殻片等が舞い上がりし難いものである（例えば特許文献１参照。）。また、海底に接地、すなわち、スプリングて叩く面積が少なくクッションになる為、効率が悪いし、水圧をかけることが、乏しいものである（例えば特許文献２参照。）。
【特許文献１】  実用公開  昭５３−１０７５９１号公報
【特許文献２】  特開      平６−３０２８８５号  公報
【０００３】又釣りに於ける水中での浮かし釣りに於いての根掛りは殆どないものの、海底、川底、湖底釣りに於いては岩、岩盤、海山等の多いところで釣れる魚は根掛りが多く発生する為、従来のオモリの数珠状の上部、中部、下方部が固定されている為に、根掛りした時はオモリ部を自由自在にあやつることが出来ず、取り外すことが困難であった（例えば、特許文献１参照）。
【特許文献１】特開２００２−３６０１３９号公報
【０００４】    尚
【特許文献】  Ｈ１６  ２／２３  ＡＯＩＫ  ９５／００    実用公開８１９件、特開２８７調査済
【考案の開示】
【考案が解決しようとする課題】
【０００５】以上に述べた従来のオモリの作用と釣り天秤等にオモリを固定する際に直接固定していたが、それでは、オモリの重さで妨害される為に、小さな魚等、引きの弱い時や波の高い時等は判りにくかった。【０００６】又従来の釣り仕掛けオモリでは、浮かし釣りは良いが、海底、川底、湖底に於ける岩、岩盤、海山等の多い所では根掛りした時はオモリを自由自在に操る事が出来ず、根掛りを取り外す事が困難であった。【０００７】請求項１の本考案は、このような従来の構成が有していた問題を解決しようとするものであり、曳きの弱い時でも、波の高いときでも、釣り曳き感度が倍加し、釣り成果を上げる事を目的とする物である。【０００８】請求項２の本考案は、このような従来の構成が有していた問題を解決しようとするものであり、魚を釣る際に糸を引っ張った時に岩、岩盤、海山等に根掛りした時には糸を弛めることによりオモリが遊動性なので、下方部の自重オモリの作用で外すことが出来、釣りの釣果を上げる事を目的とするものである。
【課題を解決するための手段】
【０００９】そして、請求項１の本考案は上記目的を達成する為に釣竿を上げ下げし、笠状オモリで水圧をかけ、下のオモリで海底を叩き砂、小石、貝殻片等を撹乱させ天秤の中間に、任意の長さを有する遊び糸等を設けることにより、釣り曳き感度のアップと釣果が倍加するものである。【００１０】また、請求項２の考案は上記目的を達成する為に、複数の中通しタイプで空洞体の笠状オモリを使用し、任意の長さの調整糸を通し、遊動性を持たせ、両端にビーズと係止具を設け、数珠つなぎのジャバラ状にし、探り釣りの際は空洞体の笠状オモリに、それぞれの先端が挿入し、一体化され滑らかな棒状体にもなり、水の抵抗がなく、岩場、岩盤、海山等の根掛りの多い所で使用ができ、根掛りが減少し釣果を上げることができるものである。
【考案の効果】
【００１１】請求項１の上述したように本考案の釣り曳き感度を向上させることの出来る、笠かぶりオモリは魚を集魚させると共に道糸を通して、釣竿への魚の曳き状況が確実に把握することが可能な為、釣りの釣果を倍加させるものである。【００１２】請求項２の上述したように本考案の根掛り防止用のジャバラ状オモリは、魚を釣る際に糸を引っ張った時に岩場、岩盤、海山等に根掛りした時は糸を弛めることにより、遊動姓なので、下方部の自重オモリの作用で、外すことができ、釣果を上げる効果を持つものである。
【考案を実施するための最良の形態】
【００１３】  以下、本考案の実施形態を図１〜図８に基づいて説明する。【００１４】請求項１の図においては、１、５は海底の砂等を撹乱させ魚を集中せしめる笠かぶりリオモリ１，５で、任意の長さを有する遊び糸等２の両端にビーズ３と係止具４を備えて下方部係止具４を従来のオモリ５に取付け固定し、上方部係止具４を天秤６に固定する。【００１５】本考案の本体で海底の砂等を２，３回撹乱させ魚を集魚せしめ、笠かぶりオモリ１，５を海底に静止させ、遊び糸等２が弛む位に天秤６も海底に静止固定する。【００１６】その後天秤６のみをゆっくり上げ下げさせ、海水の流れにそって餌を泳がせる行動を繰返すことにより、オモリに関係なく道糸を通して、釣竿への感度の手応えが伝わってくると言う効果を発揮する。以上のように本実施形態により釣果が倍加されるものである。【００１７】請求項２の図においては複数の中通しタイプで、空洞体の笠状オモリ１３を使用し、任意の長さの調整糸１２を通し、遊動性を持たせ、両端にビーズ３と係止具４を設けて、数珠つなぎのジャバラ状にし、探り釣り用とし、投げ釣り用としては係止具４の一方にプラスチック、合成樹脂等の浮上体の小判、円盤等１４を取り付ける。【００１８】本考案の本体で海底を探り釣りし、根魚を釣る仕掛けで、根掛りした時は糸を弛めることによりオモリが遊動性なので下方部の自重オモリの作用で外す事が出来る。【００１９】また、本考案の本体で投げ釣りをする際は一方の係止具にプラスチック、合成樹脂等の浮上体の小判、円盤等を取り付けて使用し、回収の祭オモリを海底より浮上させることにより、根掛りせずに回収できるものである。
【図面の簡単な説明】
【００２０】
【図１】本考案の本体正面図
【図２】本考案の実施形態を示す正面図
【図３】本考案の実施形態を示す正面図
【図４】本考案の本体正面図
【図５】本考案の実施形態を示す正面図
【図６】本考案の実施形態を示す本体正面図
【図７】本考案の本体を形成する中通しの笠状オモリ部材の側面図
【図８】本考案のプラスチックの浮上体の小判型平面図
【符号の説明】
【００２１】    １、笠かぶりオモリ
２、任意の長さの遊び糸
３、ビーズ
４、係止具
５、従来のオモリ
６、天秤
７、糸通し穴
８、穴の開いたサラ状体
９、サラ状体脱落防止板状スプリング
１０、棒状スプリング
１１、楕円盤オモリ
１２、オモリ連結調整糸
１３、中通しの笠状オモリ
１４、プラスチック小判型浮上体
【図１】
0003106626.tif 000003
【図２】
0003106626.tif 000004
【図３】
0003106626.tif 000005
【図４】
0003106626.tif 000006
【図５】
0003106626.tif 000007
【図６】
0003106626.tif 000008
【図７】
0003106626.tif 000009
【図８】
0003106626.tif 000010